(57)【要約】【課題】極めて簡易な構成で音楽配信等の音質を向上させることのできるスマートフォンケースを提供する。【解決手段】スマートフォンケース１はスマートフォン２を収納した際、スマートフォン２の裏面２ｂの略中央部２ｃに当接する制振材３を具備しており、この制振材３は高減衰制振材料で形成された薄板状の材料であってこの制振材３を使用することで、使用していない場合と比較して、非常に短時間で基材の振動を減衰させることが可能となり、この効果により、音響機器の振動を短時間で効率よく減衰させ、音の解像度の改善、Ｓ／Ｎ比の向上を実現させることができる。【選択図】図１
0003207978.tif 000002
【実用新案登録請求の範囲】
【請求項１】
スマートフォンのケースであって、
該スマートフォンケースは上記スマートフォンを収納した際、上記スマートフォンの裏面の略中央部に当接する制振材を具備する、
ことを特徴とするスマートフォンケース。
【請求項２】
上記制振材は高減衰制振材料であることを特徴とする請求項１に記載のスマートフォンケース。
【請求項３】
スマートフォンであって、該スマートフォンの本体裏面の略中央部には制振材が貼り付けられていることを特徴とするスマートフォン。
【請求項４】
上記制振材は高減衰制振材料であることを特徴とする請求項３に記載のスマートフォン。
【考案の詳細な説明】
【技術分野】
【０００１】
本考案は、スマートフォンケースに関する。
【背景技術】
【０００２】
現在、スマートフォンは携帯用の通信機器としてだけでなく、携帯用のオーディオ装置としての役割をも担っている。すなわち、音楽配信アプリによりダウンロードされた音楽を聴いて楽しむための携帯用機器としても使用されている。
しかしながら、スマートフォンにより再生される音楽は、電子機器であるスマートフォン本体の電磁気による微細な振動がノイズとして加わるため、音質が低下するという問題があった。
【０００３】
一方、今日ではオーディオ機器に取り付けて金属等で構成されている機器本体の電磁気による微細な振動を減衰させ、音質を向上させる技術が確立されており、種々の製品が市販されている。切手ほどのサイズのプレートであってオーディオ機器の金属部分に貼りつけて上記のように音質を向上させる性能を有するものもある。これは制振機能材料と呼ばれており、実際にオーディオ機器に取り付けられて音質向上効果を発揮している。
【先行技術文献】
【特許文献】
【０００４】
【特許文献１】特開２００８−１６０６３９号公報
【考案の概要】
【考案が解決しようとする課題】
【０００５】
特許文献１にはオーディオ機器の音質向上を目的とした技術について記載されている。この技術は、材料の叩解度をミクロフィブリル状態まで小さくした材料を含んで抄紙したスピーカ用振動板補強ピースを振動板に貼り付けることにより、振動板としての剛性を向上させ、この振動板補強ピースを用いたスピーカの音質の向上や高音域での音圧レベル向上等の明瞭度を向上させることができる構成としたものである。
【０００６】
しかしながら、特許文献１のような技術ではスマートフォンの電磁振動を防止して音質向上を図ることはできない。スマートフォンの電磁振動はスマートフォン自体の剛性を向上させることでは抑制できなし、剛性の向上自体困難である。
【０００７】
本考案は上記問題点に鑑み、上記の制振機能材料をスマートフォンのケースに配設することにより、極めて簡易な構成でケースに収納されたスマートフォンで利用される音楽配信等の音質を向上させることのできるスマートフォンケースを提供することを課題とする。さらに、簡易な構成でこれと同様の効果を奏するスマートフォンを提供することを課題とする。
【課題を解決するための手段】
【０００８】
上記課題を解決するために、請求項１の考案は、スマートフォンのケースであって、スマートフォンを収納した際、スマートフォンの裏面の略中央部に当接する制振材を具備することを特徴とする。
請求項２の考案はさらに、制振材が高減衰制振材料であることを特徴とする。
請求項３の考案は、スマートフォンであって、スマートフォンの本体裏面の略中央部には制振材が貼り付けられていることを特徴とする。
請求項４の考案はさらに、制振材が高減衰制振材料であることを特徴とする。
【考案の効果】
【０００９】
本考案のスマートフォンケースにより、格納されたスマートフォンでダウンロードされた音楽の音質を向上させることができる。また、本考案のスマートフォンによりダウンロードされた音楽の音質を向上させることができる。
【図面の簡単な説明】
【００１０】
【図１】本考案の第１の実施形態を示す模式図である。
【図２】本考案の第２の実施形態を示す模式図である。
【図３】ｆｏ．Ｑの制振性能を示すグラフである。
【図４】ｆｏ．Ｑと従来型制振材との制振特性比較を示すグラフである。
【図５】無機ボードとフォックボードとの振動減衰比較を示すグラフである。
【考案を実施するための形態】
【００１１】
以下、本考案のスマートフォンケースの実施形態ついて図を用いて説明する。まず第１の実施形態の構成について説明する。
【００１２】
図１に示すように、スマートフォンケース１はスマートフォン２を収納した際、スマートフォン２の裏面２ｂの略中央部２ｃに当接する制振材３を具備しており、この制振材３は高減衰制振材料で形成された薄板状の材料である。
【００１３】
本実施形態では制振材３として（株）タイテックスジャパンが開発した高機能性制振材「商品名ｆｏ．Ｑ（フォック）」を音質調整用部材として用いている。ｆｏ．Ｑはオーディオから発生する、微小な振動を効率的に減衰させ、よどみのない、澄み切った音色を楽しむことを可能にする製品として市販されている。しかしながら、従来ｆｏ．Ｑをスマートフォン自体に密着させてスマートフォンの音質を向上させるといった技術はなかった。スマートフォンがオーディオ機器として一般に認識、評価されていなかったことが原因と考えられる。以下、ｆｏ．Ｑの特性について説明する。
【００１４】
図３のグラフは、金属製品にｆｏ．Ｑを貼り付け、同じ強さの振動を与えた時の振動減衰の違いを示している。ｆｏ．Ｑを使用することで、使用していない場合と比較して、非常に短時間で基材の振動を減衰させることが可能となる。 この効果により、音響機器の振動を短時間で効率よく減衰させ、音の解像度の改善、Ｓ／Ｎ比の向上を実現させる。
【００１５】
ｆｏ．Ｑをオーディオ機器の金属部分に密着させることでなぜ音が良くなるかについて説明する。ｆｏ．Ｑは新素材の制振材であって、以下の３つの大きな特長を持つ。
【００１６】
第１の特長はｆｏ．Ｑの振動吸収メカニズムである。ｆｏ．Ｑは振動をまず電気エネルギーに変換し、そして生まれた電流を熱へと変換することで効率よく振動を吸収している。これにより、従来の制振材や防振材（ゴムや重金属）と比べ、その振動吸収能力は桁違いに優れており、オーディオ機器に使用した場合、従来の常識を超えた音質調整効果が得られる。
【００１７】
第２の特長はｆｏ．Ｑ自身が従来の制振材や防振材と異なりいわゆる固有音を持たないという点である。ゴムや重金属では完全に振動を吸収しきれずに、その余ったエネルギーは他の振動を引き起こし、それが音となる現象が起こる。ｆｏ．Ｑにはそのような固有音が無く、純粋に音がクリアーになる。
【００１８】
第３の特長はｆｏ．Ｑが従来の制振材や防振材に比べ、広い周波数帯域での制振効果を持つ点である。この点でｆｏ．Ｑはオーディオ用途に向いている制振材である。さらに、ｆｏ．Ｑは他の制振材や防振材では取ることのできない微小な振動まで効率よく吸収することができるという優れた性能を持つ。これにより、微少信号が打ち消されることが防防止されるため圧倒的に音の情報量が増す。 例えば、バイオリンの音色は弦の音だけではなく胴の響きも含んでいることが感じられ、また、フルートでは演奏者の息づかいまでも感じられるほどである。 
【００１９】
具体的には、図４のグラフに示すようにｆｏ．Ｑは、従来の制振材と比較して、２倍以上の制振性能を持っており、さらに従来の制振材では、振動が微小になると制振性能が下がり、最終的にはゼロとなります。それに対しｆｏ．Ｑは、振動が微小になればなるほど制振性能が大きくなるという特長があります。図４において、ひずみ量とは振動自体の大きさを示しており、損失係数とは制振性能を示す尺度であって値が大きいほど制振性能が高いことを示す。これらの効果により、音響機器に発生する微少な振動を短時間で効率よく減衰させ、よどみのない、澄んだ音色とすることができる。
【００２０】
高減衰制振材を応用したｆｏ．Ｑのオーディオボードは、従来の無機ボードと比較すると、全周波数帯域で平均１０倍以上の高い振動減衰性能を持っている。 図５のグラフに示すように、特に３００Ｈｚ以下の低周波帯域と４０００Ｈｚ以上の高周波帯域で振動減衰性能が非常に高くなる。これらの効果により、特に低・高周波のノイズを劇的に減衰させることが可能となり、聴こえにくかった音の輪郭が明瞭となる。また、音量を上げて聴くときにも音の歪みがなくなる。
【００２１】
次に、ｆｏ．Ｑのその他の特性について説明する。
ｆｏ．Ｑの使用温度は２０℃〜４０℃の範囲であり、貼り付ける対象物の温度には十分な注意が必要となる。また、ｆｏ．Ｑの片面に配設されている接着用テープの粘着力は非常に強力なので、一度貼り付けた後テープを剥がすときには機器の塗装の剥がれ、パーツの破損、ケーブル類の断線等に充分な注意が必要である。さらに、ｆｏ．Ｑは磁力には反応しないが、電磁波カットの性能は有さない。また、振動吸収の過程において、ｆｏ．Ｑからの電磁波の発生は確認されていない。ｆｏ．Ｑを金属部品に貼っても問題はないが、完全な不導体ではないため、電気信号が流れる部分へ直接貼り付けて使用することは好ましくない。
【００２２】
以上のような特徴を持つｆｏ．Ｑをスマートフォンケース１に貼り付け、このケース１に収納されたスマートフォン２の裏面２ｂ金属部分に密着させることにより、スマートフォンでダウンロードされた音楽の音質が飛躍的に向上するのである。
【００２３】
以上説明した考案と同様の効果をもたらす方式として、スマートフォン本体２ａに直接制振材を貼り付けるという方式も考えられる。これが本考案の第２の実施形態である。図２にその概念図を示す。
【００２４】
第１の実施形態では、ケース１の側に制振材３を配設することで、このケース１に収納される通常状態のスマートフォン２の音質向上が図れる、という特徴を有している。すなわち、スマートフォン２自体に手を加えない方式で、音質向上を実現する装置を提供することに第１の実施形態の特徴がある。これに対し、第２の実施形態ではスマートフォン本体２ａの裏面２ｂの金属部分に直接制振材３が貼り付けられる。
【００２５】
この制振材３は上述した高減衰制振材料が用いられたｆｏ．Ｑである。ｆｏ．Ｑをスマートフォン本体２ａの裏面２ｂに直接貼り付けても上述した音質向上効果を同様に得ることができる。
【符号の説明】
【００２６】
１  スマートフォンケース
２  スマートフォン
２ａ  本体
２ｂ  裏面
２ｃ  略中央部
３  制振材
【図１】
0003207978.tif 000003
【図２】
0003207978.tif 000004
【図３】
0003207978.tif 000005
【図４】
0003207978.tif 000006
【図５】
0003207978.tif 000007